(57)【要約】【課題】追記エリアにおいて前後のピット列に対して適切に追記マーク列を形成できるようにし、追加情報記録可能な再生専用型光ディスクを容易に実現できるようにする。【解決手段】ＥＣＣブロック内の位置として、ＥＤＣの配置位置と同列となる位置に追加的付加情報の配置位置を設定する。また追記エリアにおいて、追加情報は、ランドを先頭にした上記追記マーク列により記録することで、追記マークを形成する際の困難性を解消する。特にＤＶＤ−ＲＯＭの場合、追記エリアの直前が、データシンボル「４７」又は「５４」のコードワードに基づくピット列となるようにすることで、追記エリアの記録をランド繋がりで始めることが可能となる。シンクＩＤまでを追加情報に含めるようにし、直後のピット列がシンクボディから開始されるようにすることで、同期信号において追記エリアの終端部分で追記マーク列とピット列の整合をとることができるようにする。【選択図】図２
2008310847.tif 000002
【特許請求の範囲】
【請求項１】
少なくとも主データと、エラー検出コードと、エラー訂正用パリティが含まれるｎ行ｍ列のエラー訂正ブロックが形成されるデータフォーマットにおける或るエラー訂正ブロック内で、上記エラー検出コードの配置位置と同列となる位置に追加的付加情報の配置位置を設定し、上記追加的付加情報と、上記追加的付加情報の記録に応じて記録が必要なエラー検出コード及びエラー訂正用パリティとを含む追加情報を記録するための追記エリアが形成される状態で、データ記録を行う第１の記録ステップと、
上記第１のステップのデータ記録を実行した後の時点で、上記追記エリアに、上記追加情報の記録を行う第２の記録ステップと、
を備えることを特徴とするデータ記録方法。
【請求項２】
上記データフォーマットは、ＤＶＤ方式の再生専用型光ディスクのデータフォーマットであり、
上記追記エリアの直前部分は、ＥＦＭ＋方式の変換テーブルで規定されるデータシンボル「４７」又は「５４」のコードワードとなるように、上記第１の記録ステップが実行されることを特徴とする請求項１に記載のデータ記録方法
【請求項３】
同期信号が、シンクＩＤとシンクボディから構成されているとともに、上記第２の記録ステップにおいて、上記追記エリアの終端部では、同期信号の上記シンクＩＤの部分を上記追加情報として記録することを特徴とする請求項１に記載のデータ記録方法。
【請求項４】
エンボスピット及びランドから成るピット列により情報が記録される再生専用型光ディスクの製造方法であって、
少なくとも主データと、エラー検出コードと、エラー訂正用パリティが含まれるｎ行ｍ列のエラー訂正ブロックが形成されるデータフォーマットの記録データについて、或るエラー訂正ブロック内で、そのエラー訂正ブロック内の位置として上記エラー検出コードの配置位置と同列となる位置に追加的付加情報の配置位置を設定し、
光ディスク上に記録データに基づく上記ピット列を形成するとともに、上記ピット列が形成されないエリアとして、少なくとも、上記追加的付加情報と、上記追加的付加情報の記録に応じて記録が必要なエラー検出コード及びエラー訂正用パリティとを含む追加情報を記録する追記エリアを光ディスク上に形成し、
上記ピット列形成後に、上記追記エリアに、追記マーク及びランドから成る追記マーク列で上記追加情報の記録を行うことを特徴とする再生専用型光ディスクの製造方法。
【請求項５】
上記ピット列は、光ディスク上で反射膜が被覆された凹凸形状として形成されるとともに、上記追記エリアは反射膜が被覆された平面形状領域として形成され、
上記追加情報は、上記追記エリアの反射膜を消失又は減少させて形成する追記マークと反射膜が被覆された平面部としてのランドによる追記マーク列により記録することを特徴とする請求項４に記載の再生専用型光ディスクの製造方法。
【請求項６】
上記追記エリアにおいて、追加情報は、ランドを先頭にした上記追記マーク列により記録することを特徴とする請求項４に記載の再生専用型光ディスクの製造方法。
【請求項７】
上記データフォーマットは、ＤＶＤ方式の再生専用型光ディスクのデータフォーマットであり、
上記追記エリアの直前部分は、ＥＦＭ＋方式の変換テーブルで規定されるデータシンボル「４７」又は「５４」のコードワードに基づくピット列となるように、上記ピット列を形成することを特徴とする請求項４に記載の再生専用型光ディスクの製造方法。
【請求項８】
同期信号が、シンクＩＤとシンクボディから構成され、上記追記エリアの終端部では、同期信号の上記シンクＩＤの部分を上記追加情報として記録することを特徴とする請求項４に記載の再生専用型光ディスクの製造方法。
【請求項９】
上記追記エリアの直後のピット列の先頭は、エンボスピット又はランドのいずれかに固定的に統一してピット列を形成することを特徴とする請求項４に記載の再生専用型光ディスクの製造方法。
【請求項１０】
エンボスピット及びランドから成るピット列により情報が記録される再生専用型光ディスクであって、
少なくとも主データと、エラー検出コードと、エラー訂正用パリティが含まれるｎ行ｍ列のエラー訂正ブロックが形成されるデータフォーマットの記録データについて、或るエラー訂正ブロックでは、そのエラー訂正ブロック内の位置として上記エラー検出コードの配置位置と同列となる位置に追加的付加情報の配置位置が設定されている記録データに基づいて上記ピット列が形成されるとともに、
少なくとも、上記追加的付加情報と、上記追加的付加情報の記録に応じて記録が必要なエラー検出コード及びエラー訂正用パリティとを含む追加情報を記録するエリアが、上記ピット列が形成されない追記エリアとして形成されていることを特徴とする再生専用型光ディスク。
【請求項１１】
エンボスピット及びランドから成るピット列により情報が記録される再生専用型光ディスクであって、
少なくとも主データと、エラー検出コードと、エラー訂正用パリティが含まれるｎ行ｍ列のエラー訂正ブロックが形成されるデータフォーマットの記録データについて、或るエラー訂正ブロックでは、そのエラー訂正ブロック内の位置として上記エラー検出コードの配置位置と同列となる位置に追加的付加情報の配置位置が設定されている記録データに基づいて上記ピット列が形成されるとともに、
上記ピット列が形成されないエリアに、少なくとも、上記追加的付加情報と、上記追加的付加情報の記録に応じて記録が必要なエラー検出コード及びエラー訂正用パリティとを含む追加情報が、追記マーク及びランドから成る追記マーク列で記録されていることを特徴とする再生専用型光ディスク。
【発明の詳細な説明】
【技術分野】
【０００１】
本発明はデータ記録方法に関する。さらにそのデータ記録方法を用いた再生専用型光ディスクの製造方法と、再生専用型光ディスクに関する。特には製造される再生専用型光ディスク媒体において追加的付加情報を付与できるようにする技術に関する。
【背景技術】
【０００２】
【特許文献１】特開２００１−１３５０２１号公報
【特許文献２】国際公開第０１／００８１４５号パンフレット
【特許文献３】国際公開第０２／１０１７３３号パンフレット
【０００３】
例えば再生専用すなわちＲＯＭ（Read Only Memory）型のＣＤ（Compact Disc）、ＤＶＤ（Digital Versatile Disc）、ＢＤ(Blu-ray disc：登録商標)、ＨＤ−ＤＶＤ(High Definition DVD)等の光ディスク媒体では、その光ディスク上には内周側から外周側に向かってリードインエリア、主データエリア、リードアウトエリアが形成される。
そして音楽、映像、ゲーム、アプリケーションプログラム、そのほかの情報データは、主データエリアに、所定の記録変調方式により記録されている。また、リードインエリアには、主データエリアに記録された情報データの再生管理のための情報やディスクの物理情報など各種の管理情報が記録されている。
例えばこれらの再生専用型光ディスク媒体は、その優れた量産性による低い生産コストにより多くのコンテンツホルダーがコンテンツの提供手段として利用している。
【０００４】
再生専用型光ディスク媒体の製造工程は、ＤＶＤ（ＤＶＤ−ＲＯＭ）を例に挙げると、大きく分けて、光ディスクの原盤をレーザビームによって作製するマスタリング工程と、光ディスク原盤から作製されたスタンパを使用して多数のディスク基板を作製し、ディスク基板上へ膜を形成する成形成膜工程と、対となる２枚の０．６ｍｍ厚の光ディスクを所定の厚みを有する接着剤で貼り合わせて１．２ｍｍ厚のＤＶＤディスク媒体とする貼り合せ工程とがある。
【０００５】
上記成型成膜工程において、スタンパを用いて大量生産されるディスク基板は、スタンパに形成された凹凸パターンが転写されたものである。即ち情報記録面となる部分に凹凸形状のパターンとしてのエンボスピット／ランドによる記録データ列（ピット列）が形成され、この記録データ列がスパイラル状もしくは同心円状の記録トラックと成るようにされている。そしてピット／ランドが形成される情報記録面には、その凹凸形状に対して金属合金反射膜が被覆される。
ディスク完成後は、この反射膜により、再生装置から照射されるレーザ光がピット／ランドの部分で反射されるようにしている。
【発明の開示】
【発明が解決しようとする課題】
【０００６】
再生専用型光ディスクは、製造された後に、追加的な情報記録を行うことは想定されていない。ところが近年では、所定の情報データを記録した再生専用型光ディスクの管理等のために、製造される再生専用型光ディスクの１枚ごとにユニークな識別番号や記録したコンテンツに応じた識別情報などの追加的な情報（追加的付加情報）を記録する方法が要望されている。
【０００７】
ここで、追加的な情報記録を行うことを考えると、光ディスク上にピット列を形成しないエリアを追記エリアとして設けておき、その追記エリアに追記マークを形成して情報記録を行うことが考えられる。ところが、単純に識別情報等の追加的付加情報を記録するのみでは追記は実現できない。
ＤＶＤ−ＲＯＭを考えると、追記エリアに追加的付加情報を記録した状態で、ＤＶＤ−ＲＯＭのデータフォーマットに適合する状態となっていなければならない。
例えばＤＶＤ−ＲＯＭのデータフォーマットにおいて、エラー訂正ブロック（ＥＣＣブロック）を考える。エラー訂正ブロックは複数のセクタデータと、エラー訂正コードとしての列方向パリティ（以下、ＰＯパリティ）と行方向パリティ（以下、ＰＩパリティ）が含まれる。さらにセクターデータ内には主データ（ユーザデータ）と、主データを対象としたエラー検出コード（ＥＤＣ）が含まれている。
【０００８】
ここで、セクタ内のユーザデータの一部の領域に相当する光ディスク上の領域が追記エリアとされ、その追記エリアに追加的付加情報を記録することを考える。
すると、追加的付加情報の書込によって当然セクタ内のＥＤＣの値は書込前から変化する。またＥＣＣブロック単位で見れば、ＰＩパリティ、ＰＯパリティの値も変化する。
ピット列でデータが記録される再生専用型光ディスクは、当然ながら書き換え不能であるため、結局、追加的付加情報の書込によって値が変化するＥＤＣ，ＰＩパリティ、ＰＯパリティについては、追加的付加情報の書込の際に書き込まなければならない。
つまり、ピット列形成後の光ディスクに対して追加的な情報書込を行う場合、書き込むべき追加情報としては、識別情報等の追加的付加情報に加えて、追加的付加情報に影響を受けるＥＤＣ，ＰＩパリティ、ＰＯパリティも含まれる。
このため、エラー検出コードやエラー訂正用パリティなども考慮して、効率的な追加記録が実行されるようにすることが求められる。
【０００９】
さらには、追記エリアに書き込んだ追記マークによるデータ列が、ＤＶＤ方式で規定されているランレングス条件を満たしてることなど、データフォーマット上の制約を満たしたうえで、適切な追記マークを形成することが求められる。ところが個々の追加的付加情報に応じて、フォーマット制約を満足させるには非常に煩雑な計算処理を必要とし、情報追記を非常に困難化する大きな要因となっている。
【００１０】
そこで本発明では、エンボスピットによるピット列が形成された再生専用型光ディスクなどに追加情報（追加的付加情報や、追記によって影響を受けるエラー検出コード、エラー訂正用パリティ）を記録する場合に、効率的に、かつデータフォーマットに対する適合性を容易に実現できるような追加記録技術を提供することを目的とする。
【課題を解決するための手段】
【００１１】
本発明のデータ記録方法は、少なくとも主データと、エラー検出コードと、エラー訂正用パリティが含まれるｎ行ｍ列のエラー訂正ブロックが形成されるデータフォーマットにおける或るエラー訂正ブロック内で、上記エラー検出コードの配置位置と同列となる位置に追加的付加情報の配置位置を設定し、上記追加的付加情報と、上記追加的付加情報の記録に応じて記録が必要なエラー検出コード及びエラー訂正用パリティとを含む追加情報を記録するための追記エリアが形成される状態で、データ記録を行う第１の記録ステップと、上記第１のステップのデータ記録を実行した後の時点で、上記追記エリアに、上記追加情報の記録を行う第２の記録ステップとを備える。
また上記データフォーマットは、ＤＶＤ方式の再生専用型光ディスクのデータフォーマットであり、上記追記エリアの直前部分は、ＥＦＭ＋方式の変換テーブルで規定されるデータシンボル「４７」又は「５４」のコードワードとなるように、上記第１の記録ステップが実行される。
また同期信号が、シンクＩＤとシンクボディから構成されているとともに、上記第２の記録ステップにおいて、上記追記エリアの終端部では、同期信号の上記シンクＩＤの部分を上記追加情報として記録する。
【００１２】
本発明の製造方法は、エンボスピット及びランドから成るピット列により情報が記録される再生専用型光ディスクの製造方法である。まず少なくとも主データと、エラー検出コードと、エラー訂正用パリティが含まれるｎ行ｍ列のエラー訂正ブロックが形成されるデータフォーマットの記録データについて、或るエラー訂正ブロック内で、そのエラー訂正ブロック内の位置として上記エラー検出コードの配置位置と同列となる位置に追加的付加情報の配置位置を設定する。そして光ディスク上に記録データに基づく上記ピット列を形成するとともに、上記ピット列が形成されないエリアとして、少なくとも、上記追加的付加情報と、上記追加的付加情報の記録に応じて記録が必要なエラー検出コード及びエラー訂正用パリティとを含む追加情報を記録する追記エリアを光ディスク上に形成する。そのようにして上記ピット列を形成した後に、上記追記エリアに、追記マーク及びランドから成る追記マーク列で上記追加情報の記録を行う。
【００１３】
また上記ピット列は、光ディスク上で反射膜が被覆された凹凸形状として形成されるとともに、上記追記エリアは反射膜が被覆された平面形状領域として形成され、上記追加情報（追加的付加情報と、それに影響を受けるエラー検出コード及びエラー訂正用パリティ）は、上記追記エリアの反射膜を消失又は減少させて形成する追記マークと反射膜が被覆された平面部としてのランドによる追記マーク列により記録する。
【００１４】
また上記追記エリアにおいて、追加情報は、ランドを先頭にした上記追記マーク列により記録する。
特に上記データフォーマットとして、ＤＶＤ方式の再生専用型光ディスクのデータフォーマットを考えた場合、上記追記エリアの直前部分は、ＥＦＭ＋方式の変換テーブルで規定されるデータシンボル「４７」又は「５４」のコードワードに基づくピット列となるように、上記ピット列を形成する。これは、上記追記エリアにおいて、追加情報をランドを先頭にした上記追記マーク列により記録するためである。
【００１５】
また、同期信号が、シンクＩＤとシンクボディから構成され、上記追記エリアの終端部では、同期信号の上記シンクＩＤの部分を上記追加情報として記録する。
また上記追記エリアの直後のピット列の先頭は、エンボスピット又はランドのいずれかに固定的に統一してピット列を形成する。
【００１６】
本発明の再生専用型光ディスクは、エンボスピット及びランドから成るピット列により情報が記録される再生専用型光ディスクであって、少なくとも主データと、エラー検出コードと、エラー訂正用パリティが含まれるｎ行ｍ列のエラー訂正ブロックが形成されるデータフォーマットの記録データについて、或るエラー訂正ブロックでは、そのエラー訂正ブロック内の位置として上記エラー検出コードの配置位置と同列となる位置に追加的付加情報の配置位置が設定されている記録データに基づいて上記ピット列が形成されるとともに、 少なくとも、上記追加的付加情報と、上記追加的付加情報の記録に応じて記録が必要なエラー検出コード及びエラー訂正用パリティとを含む追加情報を記録するエリアが、上記ピット列が形成されない追記エリアとして形成されている。
【００１７】
また本発明の再生専用型光ディスクは、エンボスピット及びランドから成るピット列により情報が記録される再生専用型光ディスクであって、少なくとも主データと、エラー検出コードと、エラー訂正用パリティが含まれるｎ行ｍ列のエラー訂正ブロックが形成されるデータフォーマットの記録データについて、或るエラー訂正ブロックでは、そのエラー訂正ブロック内の位置として上記エラー検出コードの配置位置と同列となる位置に追加的付加情報の配置位置が設定されている記録データに基づいて上記ピット列が形成されるとともに、上記ピット列が形成されないエリアに、少なくとも、上記追加的付加情報と、上記追加的付加情報の記録に応じて記録が必要なエラー検出コード及びエラー訂正用パリティとを含む追加情報が、追記マーク及びランドから成る追記マーク列で記録されている。
【００１８】
これらのような本発明においては、次のことが特徴的な技術要素となる。
まずエラー訂正ブロック内の位置として、エラー検出コード（ＥＤＣ）の配置位置と同列となる位置に追加的付加情報の配置位置を設定する。これは、追加的付加情報の記録に影響を受けるエラー訂正パリティ（ＰＯパリティ）を少なくし、追記効率を向上させるものとなる。
また上記追記エリアにおいて、追加情報は、ランドを先頭にした上記追記マーク列により記録することで、追記マークを形成する際の困難性を解消する。
またＤＶＤ−ＲＯＭの場合、追記エリアの直前が、データシンボル「４７」又は「５４」のコードワードに基づくピット列となるようにすることで、追記エリアの先頭を必ずランドで始めることが可能となる。
またＤＶＤ−ＲＯＭのように、同期信号が、シンクＩＤとシンクボディから構成されている場合、シンクＩＤまでを追加情報に含めるようにし、直後のピット列がシンクボディから開始されるようにすることで、同期信号において追記エリアの終端部分で追記マーク列とピット列の整合をとることができる。特に、追記エリアの直後のピット列の先頭は、エンボスピット又はランドのいずれかに固定的に統一してピット列を形成することで、シンクＩＤを追加情報として記録する場合に、シンクＩＤパターンを容易に選択できる。
【発明の効果】
【００１９】
本発明によれば、データ記録実行後において追記エリアに追加情報の記録を行う場合、例えばピット列形成後に追記エリアに追加情報を記録する場合などに、効率的に、かつデータフォーマットに適合した状態で、追記マーク列を形成することを、追加情報内容にかかわらず例外なく実現できるという効果がある。また、フォーマット適合等のための複雑な演算処理も必要ない。
そしてこれにより、各種光ディスクにおける情報追記や、再生専用型光ディスク媒体において個体毎の識別情報等の追加的付加情報の記録を行うことなどが容易化できる。また再生専用型光ディスクに対する情報追記技術の普及にも好適となる。
【発明を実施するための最良の形態】
【００２０】
以下、本発明の実施の形態として、ＤＶＤ方式の再生専用型光ディスクを例に挙げて説明する。特にＤＶＤ−ＲＯＭとしての再生専用型光ディスクについて、個別ＩＤなどの比較的容量の少ない情報（例えば１００バイト程度）を追加的付加情報として記録する場合を述べる。説明は次の順序で行う。
［１．再生専用型光ディスクの製造工程及び穴空きマークによる追記］
［２．ＥＣＣブロック構成と追加的付加情報の配置］
［３．追記エリアの開始部分の整合］
［４．追記エリアの終端部分の整合］
［５．実施の形態の効果及び変形例］
【００２１】
［１．再生専用型光ディスクの製造工程及び穴空きマークによる追記］
まず、実施の形態の再生専用型光ディスク９０の製造工程を図１で説明する。
図１は本実施の形態のＤＶＤとしての再生専用型光ディスクを製造する工程を示している。本例のディスク製造工程は、図示するように大きく分けて、光ディスク原盤をレーザビームによって作製するマスタリング工程と、光ディスク原盤から作製されたスタンパを使用して多数のディスク基板を作製し、ディスク基板上へ膜を形成する成形成膜工程と、対となる２枚の０．６ｍｍ厚の光ディスクを所定の厚みを有する接着剤で貼り合わせて１．２ｍｍ厚の光ディスクとする貼り合せ工程と、貼り合わせ済の個々の光ディスクに対して追加情報を記録する追記工程とを有する。追加情報としては、例えば識別情報などディスク個別に付加したい情報としての追加的付加情報と、その追加的付加情報の記録に応じて記録が必要となるエラー検出コード（ＥＤＣ）やエラー訂正パリティなどを含む。
【００２２】
以下、各工程を説明していく。
マスタリング工程は、マスターディスク１９１に記録された情報データに基づいて、光ディスク原盤１９２を製造する工程である。この工程では、記録変調信号生成部１００とレーザビームレコーダ１１０を有するマスタリング装置が用いられる。
記録変調信号生成部１００は、マスターディスク１９１を再生して、記録する情報データを読み込み、読み込んだ情報データの信号をＥＦＭ＋（Eight to Fourteen Modulation plus）変調して生成したＥＦＭ＋信号をレーザビームレコーダ１１０へ出力する。
【００２３】
光ディスク原盤１９２はガラス板に感光物質であるフォトレジストが塗布されたものである。レーザビームレコーダ１１０は、供給されたＥＦＭ＋信号に応じてレーザ光を光ディスク原盤１９２に照射し、ＥＦＭ＋信号に基づいたピットパターンの露光を行う。その後、フォトレジスト膜が現像処理されると、ポジ型レジストの場合では、露光された箇所が溶けて凹凸パターンがフォトレジスト膜状に形成され、所定のフォーマットに従ったピットパターン（ピット／ランドの凹凸形状）が光ディスク原盤１９２表面に形成される。
【００２４】
なお、上記のように記録変調信号生成部１００はマスターディスク１９１から読み出した信号に基づいてＥＦＭ＋信号を生成し、レーザビームレコーダ１１０に送出するが、追記管理部１６０からの指示に基づいて、連続的に送出するＥＦＭ＋信号の一部の特定の期間に無変調信号を挿入する。
無変調信号のタイミング期間では、レーザビームレコーダ１１０におけるレーザ光はオフ期間となる。つまりＥＦＭ＋信号において無変調信号が挿入されることで、光ディスク原盤１９２上で露光されない区間が形成される。この区間は全てランドとなって凹凸形状が形成されない平面形状領域となり、これが後述する追記エリアとなる。
【００２５】
このような光ディスク原盤１９２に基づき、この光ディスク原盤１９２のピットパターンが反転転写されたスタンパ１９３と称される金型が製作される。当然、スタンパ１９３にも追記エリアとなる平面形状領域が形成される。
【００２６】
次に成形成膜工程においては、まず成形装置１２０がスタンパ１９３を用いて光ディスク基板１９４を作製する。光ディスク基板１９４には光ディスク原盤１９２に形成された凹凸パターンが転写されてピットパターンが形成される。
光ディスク基板１９４の作製方法としては、圧縮成形、射出成形、光硬化法等が知られている。
スタンパ１９３からピットパターンが転写された光ディスク基板１９４に対しては、続いて成膜装置１３０で、反射膜等の被覆膜が被着されることによって、反射膜形成済み光ディスク基板１９５が形成される。
【００２７】
次に貼り合せ工程では、上記の反射膜形成済光ディスク基板１９５と貼り合せ基板１９６との貼り合せが行われる。
貼り合せ基板１９６としては、上記同様の工程で作製した反射膜形成済み光ディスク基板か、あるいは、半透過反射膜形成済み光ディスク基板か、反射膜を被覆していないダミー用光ディスク基板が用いられる。
基板貼り合せ装置１４０は、反射膜形成済光ディスク基板１９５に対して、上記のいずれかの貼り合せ基板１９６を貼り合せ、貼り合せ済光ディスク１９７を製造する。
貼り合せの際の接着手法としては、紫外線硬化樹脂を用いる手法や、粘着剤付きシートによる手法等が知られている。
【００２８】
従来のＤＶＤでは、上記貼り合せ済光ディスク１９７が、完成品としてのＤＶＤとなるが、本例の場合、上述のようにピットパターン（エンボスピットとランドによるピット列）が形成された記録トラック上の一部区間に、ピットパターンが形成されていない追記エリアが設けられている。
図２に、貼り合せ済光ディスク１９７を模式的に示している。ディスク上のエリア構成として、内周側から、管理情報が記録されたリードインエリアＬＩ、コンテンツデータが記録された主データエリアＭＡ、及びリードアウトエリアＬＯが形成される。
これらのリードインエリアＬＩ、主データエリアＭＡ、リードアウトエリアＬＯは、基本的にはエンボスピットとランドによるピット列により情報が記録される領域である。即ちＥＦＭ＋信号に基づいたピット／ランドによる記録データ列が、例えばスパイラル状の記録トラックとして形成されている。
【００２９】
ここで、主データエリアＭＡ内の或るトラックＴＫとして、一部に追記エリア１０が形成されている状態を示している。あくまでも説明のための模式図であり、追記エリア１０の配置や線方向サイズなどは実際には必ずしも図示するとおりではないが、このようにピット列による記録トラックの一部に、反射膜が形成された平面形状領域として追記エリア１０が形成される。
なお、追記エリア１０を主データエリアＭＡ内のどの位置に形成するかは特に限定されない。また、追記エリア１０をリードインエリアＬＩやリードアウトエリアＬＯ内に形成してもよい。さらには、追記エリア１０をリードインエリアＬＩより内周側、あるいはリードアウトエリアＬＯより外周側に設けるということも考えられる。
【００３０】
本例の場合、貼り合せ済光ディスク１９７は、このように追記エリア１０として未記録領域が残されているという点で、完成品のＤＶＤとはならない。そこで、このような貼り合せ済光ディスク１９７に対して追記工程が行われることになる。
追記工程では、追加情報記録装置１５０が、上記貼り合せ済光ディスク１９７における追記エリアに追加情報を書き込む。例えば光ディスク個体毎に異なる識別情報やエラー検出コード、エラー訂正パリティなどを追加情報として書き込む。
この場合、追加情報記録装置１５０は、追記管理部１６０から追記エリアの位置情報（アドレス）を指示され、また書き込む追加情報が提供されて、追加情報の書込を行う。
追加情報記録装置１５０は、追加情報をＥＦＭ＋変調するとともに、そのＥＦＭ＋信号に基づいて記録用の高出力レーザパルスを照射し、追記エリアにおける反射膜を消失又は低減させることで穴空きマークを形成するという手法で書き込みを行う。
なお、この追加情報記録装置１５０の構成は後に図７で述べる。
【００３１】
このような追記工程が完了することで、再生専用型光ディスク９０の製造が完了される。そして以上の工程で大量生産される再生専用型光ディスク９０は、同一内容のコンテンツ（音楽、映像、ゲーム、アプリケーションプログラム等）を記録した光ディスクでありながら、個々に固有の追加情報が記録された光ディスクとすることができる。
【００３２】
なお、追記工程は、成形成膜工程や貼り合わせ工程を実行する製造工場内で行われてもよいし、他の施設、店舗等で行われてもよい。
例えばコンテンツホルダー（コンテンツを提供してディスク作成を依頼した業者など）が、貼り合わせ済光ディスク１９７の時点で納品されるようにし、コンテンツホルダーが自社の追加情報記録装置１５０で追加情報の記録を行うようにしてもよい。
さらには、店舗において、貼り合わせ済光ディスク１９７の状態で販売用に展示し、客が購入する際に、店舗に設置された追加情報記録装置１５０で追加情報の書込を行って客に受け渡すようなことも考えられる。
【００３３】
以上のように製造される再生専用型光ディスク９０において形成されているエンボスピット列及び穴空きマークについて説明する。
図３（ａ）はディスク上の記録面の一部を拡大し、通常のエンボスピット／ランドによるピット列として記録トラックが生成された部分を示しており、また、この図３（ａ）の破線部分の模式的な断面図を図３（ｂ）に示している。
図３（ｂ）からわかるように、この再生専用型光ディスク９０は、それぞれが例えばポリカーボネートより成る厚さ０．６ｍｍの反射膜形成済光ディスク基板１９５と貼り合わせ基板（ダミー用光ディスク基板）１９６が接着剤５（例えば紫外線硬化樹脂や接着シート）により張り合わされて、１．２ｍｍ厚とされる。
この場合、反射膜形成済光ディスク基板１９５の一主面が情報記録面Ｌ０とされ、この情報記録面Ｌ０は、ピット２およびランド３による凹凸パターンとして形成されている。また、このピット２およびランド３は、その表面に反射膜４が形成されている。
なお、ピット２とランド３の凹凸関係は逆である場合もある。
【００３４】
反射膜形成済光ディスク基板１９５と貼り合わせられる貼り合わせ基板１９６は、図３（ｂ）ではダミー用光ディスク基板（反射膜が被覆されていないディスク基板）としているが、上述したように、反射膜形成済光ディスク基板や、半透過反射膜形成済光ディスク基板を貼り合わせ基板１９６として用いても良い。
接着剤５は光透過性であるのが一般的であるが、構造によっては光透過性でなくてもよい。反射膜形成済み光ディスク基板１９５と接着された貼り合わせ基板１９６が、反射膜あるいは半透過反射膜を有している場合は、その接着面は反射膜あるいは半透過反射膜が形成されている面となる。
【００３５】
次に図４（ａ）に穴空きマークが形成された部分の拡大図を示し、また図４（ａ）の破線部分の模式的な断面図を図４（ｂ）に示す。
図４（ａ）の例では、エンボスピットとランドのピット列で形成される１トラック内の一部の領域が追記エリア１０とされ、ここに上述の追記工程で形成された穴空きマーク６による記録データ列が形成されている。つまりディスク固有の追加情報が穴空きマーク６による記録データ列として記録されたものである。
なお、説明上、エンボスピット２とランド３によるピット列との区別のため、穴空きマーク６とランド３による記録データ列を「追記マーク列」と呼ぶこととする。
【００３６】
追記マーク列が形成された部分は、図４（ｂ）に示すように、基本的な層構造は図３（ｂ）と同様となるが、情報記録面Ｌ０の一部に穴空きマーク６が形成されている。即ち穴空きマーク６は、金属合金反射膜４が消失又は低減されて、ほとんど存在しない状態となるようにして形成されたものである。
【００３７】
図５（ａ）（ｂ）は、上述した追記工程で追加情報が記録される前の様子を図４（ａ）（ｂ）に対応させて示したものである。
図５（ａ）に示すように、追記エリア１０は、無変調区間としてピット２、ランド３による凹凸パターンが形成されていない平面形状領域とされている。図５（ｂ）からわかるように、この追記エリア１０は、ランド３と同一平面上に存在し、反射膜４が被覆されていわゆるミラー部となっている。
このような追記エリア１０に対して、追記工程において追加情報が記録される。
即ち、上述した追加情報記録装置１５０は、例えば高出力赤色半導体レーザを用いた専用の記録装置として用意され、所望の区間で記録用の高出力レーザパルスを発光させる機能とを有し、図５の状態の追記エリア１０に対して記録を行って、図４のように穴空きマーク６を形成する。その際の発光パターンの変調は、エンボスピット列に対応した変調と同じ変調方式として、ＥＦＭ＋信号が用いられる。
【００３８】
図６は再生専用型光ディスク９０における追記エリア１０への追加情報の記録として、高出力レーザを入射して穴空きマーク６を形成したサンプルの様子を示している。これは、穴空きマーク６が形成された追記エリア１０のＳＥＭ（走査型電子顕微鏡）観察写真である。
ＳＥＭ観察時には反射膜形成済光ディスク基板１９５と貼り合わせ基板１９６（ダミー用光ディスク基板）とを接着面で剥がし、反射膜４がむき出しになった部分へ電子線を入射して観察した。反射膜４としては、Ａｌを基合金としてＦｅを約１原子％、Ｔｉを約５原子％含有したＡｌ合金を用いた。
この図６からわかるとおり、追記エリア１０に形成されている金属合金反射膜が追加情報の変調信号に応じて消失或いは減少されて楕円形状に穴が空き、ピットに対応した穴空きマーク６が綺麗に形成されていることがわかる。
【００３９】
このような穴空きマーク６による追記マーク列の記録を行う追加情報記録装置１５０の構成例を図７で説明する。
図７は追加情報記録装置のブロック図である。追加情報記録装置１５０は、追記制御演算部２１、書込ピックアップ２２、読取ピックアップ２３、スピンドルモータ２４、書込制御部２５、読取制御部２６、操作入力部２７を有する。
【００４０】
追記工程で追加情報を書き込む貼り合わせ済光ディスク１９７は、図示しないターンテーブルに載置され、スピンドルモータ２４によって回転駆動される。
この貼り合わせ済光ディスク１９７に対しては、書込ピックアップ２２により追加情報の記録が行われ、また読取ピックアップ２３により、記録したデータの読出が行われる。
書込ピックアップ２２は、例えば波長６６０ｎｍのレーザを出力する。レーザパワーは書込制御部２５からの指示により変更可能とされ、例えば最大１００ｍＷ程度の出力とされる。この書込ピックアップ２２からのレーザにより、貼り合わせ済光ディスク１９７乗に、反射膜４を消失又は低減させた穴空きマーク６が形成される。
読取ピックアップ２３は、例えば波長６３５又は６５０ｎｍのレーザを出力する。レーザパワーは０．２ｍＷ程度とされる。読取ピックアップ２３は、出力したレーザの反射光を受光し、受光した反射光情報から、貼り合わせ済光ディスク１９７から読み出した情報の信号を得る。
【００４１】
書込制御部２５は、供給されたデータを書込ピックアップ２２により貼り合わせ済光ディスク１９７に書き込むために書込ピックアップ２２の動作を制御する。即ち供給されたデータ（追加情報のエンコードデータ）に基づいてレーザ駆動信号を生成し、書込ピックアップ２２のレーザ出力を実行させる。またその際に、追記制御演算部２１からの指示に基づいてレーザパワーを制御する。また書込制御部２５は書込ピックアップ２２の書込位置の制御やフォーカス制御等を行って、追記制御演算部２１からの指示に基づいた所定位置に穴空きマーク６の記録を実行させる。
読取制御部２６は、読取ピックアップ２３に、貼り合わせ済光ディスク１９７からの情報読取のためのレーザ出力を実行させるとともに、反射光情報として読み取られた情報のデコード処理を行って、追加情報としてのデコードデータを得る。また読取制御部２６は読取ピックアップ２３の読取位置の制御やフォーカス制御等を行って、貼り合わせ済光ディスク１９７からの情報の読み取りを実行させる。
【００４２】
追記制御演算部２１は、追加情報記録装置１５０として実行する試し書き及び追加情報の記録動作の制御として、スピンドルモータ２４の駆動制御、書込制御部２５に対する動作制御、読取制御部２６に対する動作制御を行う。
図１で述べたように、追記管理部１６０からは、追記エリア１０に書き込むべき追加情報やエリア情報が供給されるが、追記制御演算部２１は、これらを取り込んで、追記工程の動作を実行制御する。この場合、エリア情報とは、追記エリア１０の位置情報（アドレス）となる。
追記制御演算部２１は、このように追記管理部１６０からの情報と、操作入力部２７によるオペレータの操作入力に基づいて、試し書き記録及び追加情報の記録動作を実行制御する。
【００４３】
追加情報の記録を行う際には、追記制御演算部２１は、書込制御部２５に追記エリア１０へのアクセスを指示し、書込ピックアップ２２を追記エリア１０に移送させる。そして追加情報をエンコードしてエンコードデータを書込制御部２５に供給する。さらに、書込の際のレーザパワー等の記録条件も指示する。これにより、書込制御部２５は追加情報としてのエンコードデータに基づいて、追記エリア９４に穴空きマーク６を形成していくように書込ピックアップ２２を駆動することになる。
また、この追加情報の記録の際には、追記制御演算部２１は、読取制御部２６にも追記エリア９４へのアクセスを指示し、読取ピックアップ２３による再生を指示する。即ち書込ピックアップ２２で記録した穴空きマーク６の部分の再生を指示する。これにより、読取ピックアップ２３により追加情報の読取が行われ、読取制御部２６によってデコードされたデータが追記制御演算部２１に取り込まれる。追記制御演算部２１は、デコードデータについてエラーレートを検出するなどの評価を行い、追加情報が適切に記録されたか否かを判定する。
【００４４】
［２．ＥＣＣブロック構成と追加的付加情報の配置］
以上のように追加情報が記録されたＤＶＤとして再生専用型光ディスクが製造されるわけであるが、以下、ＤＶＤ方式のデータフォーマットを考慮して、このような追加情報の記録を適切に実現するための手法を述べていく。
まずここでは、ＥＣＣブロック構成と追加的付加情報の配置について説明する。
【００４５】
図８にＤＶＤデータフォーマットにおけるデータ構造の最小単位であるセクタの構造を図８（ａ）に示す。
セクタは１７２バイト×１２行（row）としての２０６４バイトのデータ単位とされる。そしてこの１つのセクタには、１２バイトのセクタヘッダと、２０４８バイトのユーザデータと、４バイトのＥＤＣ（エラー検出コード）が含まれる。
１２バイトのセクタヘッダには、セクタフォーマットタイプ、トラッキング方式、エリア情報（リードインエリアＬＩ、主データエリアＭＡ、リードアウトエリアＬＯの別）、データタイプ、レイヤナンバなどの属性情報や、アドレス情報などが記録される。
２０４８のユーザデータの領域は、主たる記録データの記録に用いられる。
４バイトのＥＤＣは、セクタ内のエラー検出コードとされる。
【００４６】
このようなセクタが１６セクタ集められて、１つの記録単位であるＥＣＣブロックが形成される。図８（ｂ）にＥＣＣブロック構造を示す。
セクタＳＣ０、ＳＣ１・・・ＳＣ１５の１６セクタに対して、列方向のパリティとして１７２バイト×１６行のＰＯパリティが付加される。
さらに、セクタＳＣ０、ＳＣ１・・・ＳＣ１５及びＰＯパリティの各行について、それぞれ１０バイトの行方向のパリティ（ＰＩパリティ）が付加される。
この１８２バイト×２０８行でＥＣＣブロックが形成される。
【００４７】
このＥＣＣブロックは、図９のようにインターリーブされる。即ち、１６行のＰＯパリティの各行が、図の斜線部として示すように、各セクタＳＣ０〜ＳＣ１５の最終行に組み込まれる。そしてＰＯパリティの行が組み込まれた１８２バイト×１３行の各セクタが、レコーディングセクタｒＳＣ０、ｒＳＣ１・・・ｒＳＣ１５とされる。
【００４８】
さらに、図１１にはレコーディングセクタｒＳＣ０の部分を示しているが、各レコーディングセクタｒＳＣ０、ｒＳＣ１・・・ｒＳＣ１５は、１８２バイトの１行が９１バイトづつに分けられ、９１バイト単位で３２ビットの同期信号ＳＹ（ＳＹ０〜ＳＹ７）が付加される。
この図１１の状態が、最終的にディスクに記録されるデータ構造となる。即ち、この図１１のデータ構造の各１バイト（８ビット）のデータシンボルが、ＥＦＭ＋変調により１６ビットに変換され、そのＥＦＭ＋変調信号に対してＮＲＺＩ方式の論理反転に基づいてピット列が形成されることに成る。
【００４９】
なお、図１１の構造は、光ディスク上のトラック線方向に、各行が順番に連続するものとなる。つまり、光ディスク上では、トラック線方向に、１行目の同期信号ＳＹ０→１行目のセクタヘッダを含む９１バイト→１行目の同期信号ＳＹ５→１行目のＰＩパリティを含む９１バイト→２行目の同期信号ＳＹ１→２行目の９１バイト→２行目の同期信号ＳＹ５→２行目のＰＩパリティを含む９１バイト→３行目の同期信号ＳＹ２→・・・というようにデータが記録される。
【００５０】
ここで本例における、ＥＣＣブロック内での追加的付加情報の配置を述べる。図８（ｂ）のＥＣＣブロック構成を、バイト位置で示したものが図１０である。
１８２バイト×２０８行のＥＣＣブロックは、バイト位置としてＢ0,0〜Ｂ207,181を有する。
ＥＣＣブロック内の最初のセクタＳＣ０のデータは、ＰＩパリティを含めてバイト位置Ｂ0,0〜Ｂ11,181に配置される。
Ｂ0,0〜Ｂ0,11がセクタヘッダとされる。
またＢ0,12〜Ｂ0,171、Ｂ1,0〜Ｂ1,171、Ｂ2,0〜Ｂ2,171、・・・Ｂ10,0〜Ｂ10,171、Ｂ11,0〜Ｂ11,167の２０４８バイトがユーザデータとされる。
またＢ11,168〜Ｂ11,171がＥＤＣとされる。
そしてＢ0,172・・・Ｂ11,181として、各行に１０バイトづつのＰＩパリティが配置される。
【００５１】
バイト位置Ｂ12,0以降は、これと同様の構造でセクタＳＣ１〜ＳＣ１５が配置される。そしてバイト位置Ｂ192,0〜Ｂ207,171に、各列に対して１６バイトづつのＰＯパリティが配置される。
【００５２】
本例では、1又は複数の或るセクタのユーザデータ内において、追加的付加情報の記録領域を確保するものであるが、その場合、追加的付加情報の記録領域を、図１０における斜線部内で確保する。この斜線部は、１６８列〜１７１列の範囲であり、つまりＥＣＣブロック内の各セクタ（ＳＣ０〜ＳＣ１５）において、それぞれＥＤＣ（エラー検出コード）の配置位置と同列となる位置である。
この斜線部内で追加的付加情報の記録を行うようにする理由は以下のとおりである。
【００５３】
まず、ＥＣＣブロックの構造上、ユーザデータの領域であれば、任意のデータを記録することが可能である。
ところが、仮に記録しようとする追加的付加情報が１００バイト程度であったとしても（もちろん１００バイト程度に限られないが）、実際には追加的付加情報の記録に応じて、ＥＤＣやエラー訂正パリティＰＩ，ＰＯの書き換えの必要が生ずる。もちろん一旦エンボスピットパターンを形成してしまえば書き換えはできないため、追加的付加情報を記録しようとする場合、その記録によって影響を受けるパリティ等も、追記として上述した穴空きマーク６により記録することになる。
【００５４】
例えば或るセクタ内で、ユーザデータとしての或るバイト位置に追加的付加情報の追記を行うとする。
すると、そのセクタの４バイトのＥＤＣが影響を受ける。このため４バイトのＥＤＣの部分は追記エリアに設定し（エンボスピットパターンを形成せず）、ＥＤＣを追記として記録する必要がある。
また、追加的付加情報を記録したバイト位置やＥＤＣと同列のＰＯパリティも、影響を受けるため、これも追記として記録する必要がある。
さらに、追加的付加情報を記録したバイト位置及びＥＤＣと同行のＰＩパリティと、ＰＯパリティの行のＰＩパリティも、影響を受けるため、これも追記として記録する必要がある。
【００５５】
このように、ユーザデータの一部に相当する部分を追記エリア１０として追加的付加情報を穴空きマークで記録する場合、その追加的付加情報に加えて、それによって影響を受けるセクタのＥＤＣ、ＰＯパリティ、ＰＩパリティの部分も追記エリア１０として形成し、穴空きマークにより記録する必要がある。
【００５６】
ここで、追記する箇所を最小にすることを考える。
仮に、図１０のセクタＳＣ０内で斜線部以外の例えばバイト位置Ｂ2,0などに追記することを考える。
すると、ＰＯパリティとしては、バイト位置Ｂ2,0と同じ列である０列（Ｂ192,0〜Ｂ207,0）の１６バイトを追記として記録する必要が生じる。さらに、セクタＳＣ０のＥＤＣも追記記録となるが、それによってＰＯパリティの１６８列〜１７１列の各１６バイトも追記記録となる。
【００５７】
つまり、ＰＯパリティは、追加的付加情報の記録位置と同じ列と、ＥＤＣと同じ列が影響を受け、これらの列は穴空きマークで追記する必要が生じる。ところが逆に考えれば、追加的付加情報の記録位置をＥＤＣ列と同じ列にすれば、ＰＯパリティは、ＥＤＣと同列の１６８列〜１７１列のみが影響をうけることになる。つまり、斜線部として示すようにＥＤＣと同じ列となる範囲内において追加的付加情報の記録領域を設定すれば、ＰＯパリティとしては影響を受ける範囲を最小化することができる。具体的には、ＰＯパリティは、セクタのＥＤＣと同じ列の範囲として、破線で囲ったＢ192,168・・・Ｂ207,171の４×１６バイトのみが影響を受ける範囲とすることができる。
【００５８】
即ち、追加的付加情報の記録を行うセクタでは、それをＥＤＣと同じ列において記録するようにすることで、ＥＣＣブロック内での影響を受ける箇所を少なくできる。
そしてその場合、１セクタ内では、斜線部として４バイト×１１行で最大４４バイトの追加的付加情報の記録が可能となる。
１ＥＣＣブロックで考えれば、４４×１６セクタで、最大７０４バイトの追加的付加情報が記録可能となる。
【００５９】
なお実際には、追加的付加情報として記録する識別情報等のデータサイズ（バイト数）によって、追加的付加情報の配置位置を設定すればよく、１セクタ内の斜線部の４４バイトを全て追加的付加情報の記録に当てる必要はない。例えば１セクタ内で４バイト（１行）だけ追加的付加情報の記録に当て、これを１６セクタにより１ＥＣＣブロックで６４バイト記録するような形式としてもよい。
もちろん、ＥＣＣブロック内で、追加的付加情報の記録を行うセクタ数も任意である。さらに、追加的付加情報を複数のＥＣＣブロックにまたがって記録を行うことも可能である。
どのようなデータサイズの追加的付加情報を、どのようにセクタを用いて記録するかは全く任意であるが、いずれにしても、各セクタにおいてＥＤＣと同列の範囲のバイト位置を用いて、追加的付加情報を記録するようにすればよい。
【００６０】
［３．追記エリアの開始部分の整合］
次に、追記エリア１０の開始部分での整合を考える。
上述したように、追記工程に供される貼り合わせ済光ディスク１９７には、すでにエンボスピットパターンとしてのピット列が形成されており、その一部が追記エリア１０として平面形状領域とされている。
ここで考慮しなければならないのは、追記エリア１０に隣接する既設のピット列の状況（つまり追記エリア１０の直前の隣接部がランドかピットか、また、ランド／ピットの変換点か）に対し、任意の追記マークを常に問題なく追記するには追記情報のデータをどのように形成すればよいか、と言うことである。
【００６１】
図１１には、或るレコーディングセクタｒＳＣ０において、ＥＤＣと同列の各行４バイトを全て追加的付加情報の記録に用いると仮定した場合における追記エリア１０に相当する位置を示している。
この場合、図１１の斜線部に相当することになる光ディスク（貼り合わせ済光ディスク１９７）上の領域が、追記エリア１０とされることになる。
即ち第１行目から第１２行目までの各行のユーザデータのうちのＥＤＣと同列の４バイトと、第１２行目のＥＤＣの４バイトと、インターリーブで第１３行目となるＰＯパリティのうちのＥＤＣと同列の４バイトのＰＩパリティと、第１行目から第１３行目までの各行の各１０バイトのＰＩパリティの部分が、追記エリア１０に含まれ、これらが穴空きマーク６による追記マーク列で記録される。
なお、後述するが、ＰＩパリティの直後に続く同期信号ＳＹの一部（１０ビットのシンクＩＤ）の位置も追記エリア１０に含まれるようにされ、この１０ビットも穴空きマーク６による記録が行われる。
従って、１つの追記エリア１０は、４バイトのユーザデータ（又はＥＤＣ、又はＰＯパリティ）と、１０バイトのＰＩパリティと、１０ビットのシンクＩＤを記録する領域となり、ＥＦＭ＋変調により１シンボル（セクタ構造内の１バイト）は１６ビットとして記録されるため、光ディスク上としては２３４ビットの領域となる。
【００６２】
ここで、追記エリア１０の開始部分の直前とは、図中「５４」と付した位置となる。
本例では、追記エリア１０の直前のピット列、つまりピット列から追記エリア１０に至部分の最後のピットパターンは、データシンボル「５４」もしくは「４７」のコードワードによるものとする。このため図では斜線部としての追記エリア１０の直前に「５４」と記載しているが、これは「４７」としてもよい。
以下、この理由について説明する。
【００６３】
まず追記エリア１０に追記する場合には、その直前のエンボスピット列がランド３で終了しており、ランド３のつながりを持って穴空きマーク列の記録を開始したいという事情がある。
仮に図１２（ａ）のような状況を考える。
図１２（ａ）では、或るデータシンボルをＥＦＭ＋変調したコードワード「００１０００００１００００１００」がエンボスピットパターンとしてのピット列の終端であるとし、図のようにピット２，ランド３によるピット列が形成されていたとする。
ここで追記エリア１０には或るコードワード「０１００・・・・」から記録が開始されることとなったとする。
この場合、ＮＲＺＩ方式の論理反転に基づくと、図のように追記エリア１０の先頭で、ピット２と連続した穴空きマーク６を形成しなければならない。さらに、「１」で論理反転するため、その穴空きマーク６は２Ｔの長さとしなければならない。
【００６４】
例えばこのような状況として、追記エリア１０の書き始めで、直前のピット２と連続する穴空きマーク６を形成する場合がある。
この図１２（ａ）の例では最初の穴空きマーク６は２Ｔの長さとしているが、長さが２Ｔ以下であろうと３Ｔ以上であろうと、ピット２に連続して穴空きマーク６を形成する場合、その繋ぎ目をうまく処理することが必要である。例えば直前のピット２と重なり部分を生じさせるように、やや早めにレーザ発光を開始させるような、専用のライトストラテジを用意する必要がある。
ところが、追記エリア１０の書き始めに専用のライトストラテジを実行しなければならないことでの処理の煩雑化が生ずることや、そもそも重なり部分を生じさせるような書込により、ピット２と穴空きマーク６がきれいにつながるかは完全には保証できない。
【００６５】
またこの図１２（ａ）のように、最初の穴空きマーク６を２Ｔの長さで形成しなければならない場合、追記エリア１０での書き始めに２Ｔ以下のレーザ発光させることになる。ところが、追記において１Ｔや２Ｔのように短い時間の穴空きマーク／ランド形成を正確に制御することは難しい。
もし追記エリア１０の書き始めで２Ｔ以下のレーザ発光が発生しないようにするためには、書き始めのシンボルとして先頭３ビットで反転しないものを選択する必要がある。ところがそのためには非常に複雑な処理が必要となる。
【００６６】
これらのことから、追記エリア１０において穴空きマーク６から記録を開始することは避けることが望まれる。従って、追記エリア１０に追記する場合には、その直前のエンボスピット列がランド３で終了しており、ランド３のつながりを持って穴空きマーク列の記録を開始したいということになる。例えば図１２（ｂ）のように、追記エリア１０の直前がランド３で終了していれば、追記エリア１０の書き始めをランド３で開始することができる。
例えばこのようなランド繋がりとすれば、専用のライトストラテジを用意する必要もなく、また追記エリア１０の書き始めのシンボルとして先頭３ビットで反転しないものを選択したいということも不問となる。
【００６７】
そこで次に、追記エリア１０の先頭を、ランド繋がりで開始されるようにすることを考える。換言すれば、追記エリア１０の直前のピット列がランド３で終了するようにすることを考える。
さらに言えば、追記エリア１０の直前のエンボスピット列の最後のコードワードとしてランド３で終わる状況を選択できるようにする。
【００６８】
追記エリア１０をランド３で開始するには、追記エリア１０の直前のデータシンボルのコードワードによるピット列がランド３で終わっていればよい。ところが、追記エリア１０の直前のコードワードの終わり方は、さらにその直前のデータシンボルのコードワードの終わり方に影響される。つまり「１」でＨ／Ｌ論理が反転するＮＲＺＩ方式であるため、追記エリア１０の直前のコードワードの最初がＨであるかＬによって（即ちさらにその直前のコードワードがＨで終わるかＬで終わるかによって）、最後がピット２となるかランド３となるかが不定である。これは各データシンボルによりコードワードの極性反転回数が異なり、回数が奇数か偶数かで終わりの極性が変わる為である。
【００６９】
この場合に、追記エリア１０の直前が必ずランド３で終わるようにするには、追記エリア１０の直前のデータシンボルは、そのコードワードが、さらにその前のデータシンボルに応じて極性反転の回数の偶数奇数を選択できるものが適切となる。つまり、ＥＦＭ＋変調の際に、反転回数が偶数のコードワードと反転回数が奇数のコードワードとを任意に選択できる（ポラリティ操作できる）データシンボルであることが必要である。
【００７０】
ここでＥＦＭ＋変調の変換テーブルを検討する。
ＤＶＤデータフォーマットでは、ＥＦＭ＋変調に関して、図１４に一部抜粋して示すメイン変換テーブルと、図１５に一部抜粋して示すサブ変換テーブルが規定されている。
【００７１】
まず図１４のメイン変換テーブルについて説明する。
メイン変換テーブルでは８ビット（１バイト）のデータ値としてのデータシンボル「０」〜「２５５」を、ＥＦＭ＋変調で変換する１６ビットのコードワードが規定されている。
また１つのデータシンボルに対応するコードワードとしてはステート１，ステート２，ステート３，ステート４の４種類のコードワードが規定されている。
さらに各コードワードについては、ネクストステートとして、「１」〜「４」のいずれかが決められている。
ネクストステートは、次のデータシンボルについて、どのステートのコードワードを用いるかを示したものである。
【００７２】
例えばデータシンボル「０」「８８」「４９」「２５５」というデータ列をＥＦＭ＋変調する場合を考える。
最初にデータシンボル「０」をステート１のコードワード「００１０００００００００１００１」に変換したとする。なお、記録データの一番最初のデータシンボルについて、どのステートのコードワードを用いるかは任意である。
このデータシンボル「０」のステート１のコードワードは、ネクストステートが「１」とされている。そのため次のデータシンボル「８８」は、ステート１のコードワード「０００１０００１０００１００００」に変換する。
またデータシンボル「８８」のステート１のコードワードは、ネクストステートが「３」とされている。そのため次のデータシンボル「４９」は、ステート３のコードワード「１０００００００１０００１０００」に変換する。
またデータシンボル「４９」のステート３のコードワードは、ネクストステートが「２」とされている。そのため次のデータシンボル「２５５」は、ステート２のコードワード「０１００００１００００１００１０」に変換する。
ＥＦＭ＋変調では、このように、ネクストステートで規定されるステートで、各データシンボルのコードワードが選択されていく。これは、各データシンボルのつなぎ目がランレングス制限に適応するようにするためである。
【００７３】
ここでデータシンボル「０」〜「８７」に関しては、図１５に示すサブ変換テーブルが規定されている。
サブ変換テーブルも、１つのデータシンボルに対応するコードワードとしてはステート１，ステート２，ステート３，ステート４の４種類のコードワードが規定されている。
さらに各コードワードについては、ネクストステートとして、「１」〜「４」のいずれかが決められている。
データシンボル「０」〜「８７」については、このサブ変換テーブルが設けられることで、合計８個のコードワードが選択可能とされる。そしてサブ変換テーブルのコードワードはメイン変換テーブルと合わせて用いることができる。
例えば上記のように、データシンボル「８８」のコードワードでネクストステート「３」が指定され、次にデータシンボル「４９」となる場合は、メイン変換テーブルのステート３のコードワード「１０００００００１０００１０００」の他に、サブ変換テーブルのステート３のコードワード「１００１０００００００１０００１」を選択してもよいことになっている。
【００７４】
このサブ変換テーブルは、ピット／ランドの平均的な比を調節することで、再生ＲＦ信号のＤＣオフセット成分を調整するために設けられているものである。
即ち同じデータシンボルと同じステートで見ると、必ずメイン変換テーブルとサブ変換テーブルでは、反転回数（「１」の数）が偶数／奇数で異なるようにされている。これによって例えばメイン変換テーブルのみを使用すると、記録トラック上でピット２の領域がランド３の領域に比べて多くなるような記録データの場合、部分的にサブ変換テーブルを利用して論理反転回数を調節し、ランド部分とピット部分が同等となるようにすることができる。
【００７５】
ＥＦＭ＋変調は、このメイン変換テーブルとサブ変換テーブルを用いて行われるが、ここで上述した、ポラリティ操作ができるデータシンボルを考える。
追記エリア１０の直前のピット列がランド３で終了するには、直前のピット列の最後のコードワードが、論理反転回数（「１」の数）として偶数、奇数を選択できるものであればよい。つまりこれは、メイン変換テーブルとサブ変換テーブルのうちからコードワードを選択できるものであればよいことを意味する。
従って直前のピット列の最後のデータシンボルが「０」〜「８７」の範囲内の値であればよいということになる。
【００７６】
ここでステート情報のことをさらに考慮する。
上述のようにＥＦＭ＋変換の際には、データシンボルのコードワードは、直前のコードワードのネクストステートによって、ステートが規定されて選択される。
これは、当然エンボスピット列の最後のコードワードと、穴空きマーク６と最初のコードワードの間にも適用されなければならない。
すると、追記エリア１０に書込を行おうとする際には、追加情報記録装置１５０は、既に形成されている直前のエンボスピット列の最後のコードワードのネクストステートの情報を把握し、それに基づいてステートを選択してＥＦＭ＋変換を行わなければならないことになる。これは、全体の製造システム的にも処理が煩雑化するとともに、例えば追加情報記録装置１５０を、図１の製造工程を行う工場内ではなく、別の場所、別の時点で用いるような汎用的な使用が困難になる。
ところが、追記エリア１０の最初のコードワードを、必ず特定のステートとしてよいこととすれば、追加情報記録装置１５０は、直前のエンボスピット列の最後のコードワードのネクストステートの情報を考慮する必要はなくなる。
【００７７】
すると、メイン変換テーブルとサブ変換テーブルにおける８個のステートにおいて、ネクストステートが全て同じものがあればよいということになる。
これに該当するものが、図１４，図１５において枠で囲って示した「４７」と「５４」である。この「４７」と「５４」は、メイン変換テーブルとサブ変換テーブルに示されるコードワードの全てでネクストステート「１」が指定されている。
そして、追記エリア１０の直前のデータシンボルが「４７」又は「５４」のいずれかであれば、追記エリア１０の書き始めのコードワードは、必ずステート１を選択すればよいものとなる。
【００７８】
このように追記エリア１０の始まりのステートがステート１として統一されていれば、各追記エリア１０の開始部分のステート情報を追加情報記録装置１５０に伝達する必要が無いことになる。例えば、追記エリア１０の直前のピット列の最後が「５４」又は「４７」以外であると、追加情報記録装置１５０は、そのピット列の最後のコードワードのネクストステートの情報を取得しなければ、適切にステートを選択することができない。ところが、ステート１として統一されていることで、ネクストステートとしての指定情報を追記管理部１６０から受け取ることは必要なくなる。
これは追加情報記録装置１５０の処理を簡易化させるだけでなく、システムの拡張にも好適である。
【００７９】
結局、追記エリア１０の直前のピット列の最後が「４７」又は「５４」のデータシンボルとされているようにすれば、特に複雑な処理やステート情報の転送を行うことなく、追記エリア１０の開始部分で直前のピット列と整合のとれたデータ記録を行うことができ、かつランド３を先頭として形状の安定した穴空きマーク列を形成できるということになる。
なお、ＥＦＭ＋変換のメイン変換テーブル及びサブ変換テーブルにおいて、全てのデータシンボルのステート１のコードワードは、先頭２ビットが「００」であるため、追記エリア１０の先頭は必ず２Ｔ以上のランド３から開始されることになる。
【００８０】
データシンボル「５４」のコードワードを、追記エリア１０の直前のピット列の最後のコードワードとした状態を、図１３（ａ）（ｂ）に示す。
図１３（ａ）（ｂ）は、「５４」のデータシンボルについて、ステート１のコードワードが選択された場合を示している。これは、さらにその前のコードワードにおいてステート１が指定されていた場合である。もちろんこの「５４」についてはステート２〜ステート４のコードワードが選択される場合もあり得る。
ここで、図１３（ａ）は、「５４」のコードワードが、さらにその直前のコードワードの最後が「Ｌ」とされていたことから、「Ｌ」論理で開始された場合を示している。
一方、図１３（ｂ）は、「５４」のコードワードが、さらにその直前のコードワードの最後が「Ｈ」とされていたことから、「Ｈ」論理で開始された場合を示している。
もし、「Ｌ」論理で開始される場合、ピット列をランド３で終わらせるためには、「５４」のコードワードをメイン変換テーブルから選択すればよい。「５４」のメイン変換テーブルのステート１のコードワードは「００１０００００１００１００１０」であり、反転回数が偶数である。このため、図示するようにピット２，ランド３が形成され、終端はランド３となる。
一方、「Ｈ」論理で開始される場合、ピット列をランド３で終わらせるためには、「５４」のコードワードをサブ変換テーブルから選択すればよい。「５４」のサブ変換テーブルのステート１のコードワードは「００００００１０００１００００１」であり、反転回数が奇数である。このため、図示するようにピット２，ランド３が形成され、終端はランド３となる。
このようにメイン変換テーブルとサブ変換テーブルで選択可能で、反転回数の偶数／奇数を選択できることが、上記したポラリティ操作ができるデータシンボルであり、これによって、それまでのデータシンボルにかかわらず、ピット列をランド３で終了できる（つまり追記エリア１０の記録をランド繋がりの状態で開始できる）ということになる。
もちろんこの「５４」として、その直前のコードワードによりステート２，ステート３、ステート４のいずれかが指定されていたとしても、開始する論理に応じて、メイン変換テーブルとサブ変換テーブルのうちでコードワードを選択し、終端がランド３で終わるようにすればよい。
【００８１】
ここではデータシンボル「５４」について例示したが、「４７」についても同様である。
従って、図１１に示したように、斜線部として示す追記エリア１０の直前のピット列が、データシンボル「５４」又は「４７」とされることで、追記エリア１０の開始部分で適切な追記が可能となる。
より具体的に言えば、例えば図１０のバイト位置Ｂ0,168や、Ｂ1,168などを追記エリア１０の先頭とする場合、それらの直前のバイト位置Ｂ0,167や、Ｂ1,167などが、データシンボル「５４」又は「４７」とされるようにセクタデータを設定すればよいものとなる。
【００８２】
また、追記エリア１０において穴空きマーク６をレーザ等の発光で記録する場合、始まりのデータシンボルの極性がランドからであると、２Ｔ以下の発光が抑制され、追加情報記録装置１５０のレーザ駆動回路の周波数特性、光学系のＭＴＦ設計に余裕が生まれると共に、１Ｔ、２Ｔのライトストラテジの検討が不要となるという利点も得られる。
【００８３】
［４．追記エリアの終端部分の整合］
続いて追記エリア１０の終端部分の整合について述べる。
図１１に示したように、レコーディングセクタの構造としては、９１バイト単位毎に同期信号ＳＹが付加されている。
そして同期信号ＳＹとしては、ＳＹ０〜ＳＹ７の８種類が規定され、図１１に示す順序（ＳＹ０→ＳＹ５→ＳＹ１→ＳＹ５→ＳＹ３→ＳＹ５→ＳＹ４→・・・）で９１バイト単位のデータに対して付加される。
この各同期信号ＳＹ０〜ＳＹ７の並び順はセクタ内でユニークである。例えば「ＳＹ０→ＳＹ５」「ＳＹ５→ＳＹ１」「ＳＹ１→ＳＹ５」というそれぞれの並びはセクタ内で１カ所しか表れない。このため前後の同期信号ＳＹの並びによってセクタ内の位置が検出できるものとされている。
【００８４】
ここでセクタ内で、追加的付加情報及びＥＤＣと、影響を受けるＰＯパリティ、ＰＩパリティを追加情報として書き込むと、図１１の斜線部が追記エリア１０となると先に述べた。
そしてＰＩパリティに続いては同期信号ＳＹが配置されるため、各追記エリア１０の直後は同期信号ＳＹとなる。ここで本例では、図１１の斜線部で示すように同期信号ＳＹの最初の１０ビットの部分も、追記エリア１０に含めるようにし、追記マーク列により記録するようにして、追記エリア１０の終端部分で適切に整合がとれるようにする。
【００８５】
ここでＤＶＤデータフォーマットにおける同期信号ＳＹについて説明する。
同期信号ＳＹは、図１６に示すように３２ビットのシンクコードで形成される。そして３２ビットのうちの最初の１０ビットがシンクＩＤとされ、残りの２２ビットがシンクボディとされる。
シンクＩＤは、同期信号ＳＹ１〜ＳＹ７を区別する識別コードである。またシンクボディは同期信号ＳＹ１〜ＳＹ７において共通の２２ビットパターン「０００１０００００００００００００１０００１」とされる。即ち同期信号特有の１４Ｔパターンを含むコードである。
【００８６】
そして各同期信号ＳＹ１〜ＳＹ７は、それぞれ図１７に示すように４パターンが規定されている。
まず、同期信号ＳＹの直前のコードワードにおいて、ネクストステートが「１」又は「２」と指定されている場合は、図１７の上段に示すプライマリシンクコードか、セカンダリシンクコードが用いられる。
また、同期信号ＳＹの直前のコードワードにおいて、ネクストステートが「３」又は「４」と指定されている場合は、図１７の下段に示すプライマリシンクコードか、セカンダリシンクコードが用いられる。
プライマリシンクコードとセカンダリシンクコードの関係は、上述したメイン変換テーブルとサブ変換テーブルの関係と同様に、論理反転回数が奇数／偶数で選択できるものとされている。
【００８７】
この図１７からもわかるように、全てのシンクコードにおいて２２ビットのシンクボディは共通であり、先頭１０ビットのシンクＩＤとして、各同期信号ＳＹ１〜ＳＹ７は、それぞれ４パターンが規定されていることになる。
【００８８】
ここで追記エリア１０の終端部分を、適切にピット列に繋げることを考える場合、シンクＩＤとシンクボディを切り離して考慮することが好適となる。
つまり、シンクＩＤの部分は、その直前のコードワードのネクストステートの指定に応じて選択されることになるため、結局追加情報を記録した後でなければ選択できない。
一方、シンクボディの部分は、どのシンクコードが選択されようともコードパターンは同じである。
このことから、追記エリア１０の終端をシンクＩＤで終了させ、追記エリア１０に続くピット列は、シンクボディの部分から開始されるようにすればよいことが理解される。
つまり図１の貼り合わせ済光ディスク１９７の段階では、平面形状領域としての追記エリア１０として、シンクＩＤの部分まで含むように形成し、その平面形状領域に続いて、シンクボディのエンボスピットパターンを形成しておくようにする。
【００８９】
但しその場合、シンクボディのエンボスピット列の最初が、ランド３で始まるかピット２で始まるかがわからなければ、シンクボディを形成できないことになるが、逆に言えば、シンクボディの先頭をランド３とするかピット２とするかを予め決定しておけば、シンクＩＤのパターンの選択（プライマリシンクコードかセカンダリシンクコードかの選択）により整合を取ることができる。
例えば追記エリア１０の直後のシンクボディの先頭（つまりシンクコードの１１ビット目）はランド３とすると規定しておけば、１１ビット目〜３２ビット目までのシンクボディは、１４ビット目から２７ビット目を１４Ｔピットとして作成しておけばよい。
また逆に、追記エリア１０の直後のシンクボディの先頭はピット２とすると規定しておけば、１１ビット目〜３２ビット目までのシンクボディは、１４ビット目から２７ビット目を１４Ｔランドとして作成しておけばよい。
【００９０】
追記エリア１０の直後のシンクボディは、ランドから始めると規定した場合について、追記エリア１０の終端部分の様子を図１８に示す。
図１８（ａ）は、追記エリア１０が未記録の状態（つまり貼り合わせ済光ディスク１９７の段階）であり、追記エリア１０に続くピット列としては、シンクコードの１１ビット目以降がランド３から開始されて１４Ｔのピット２が形成されている様子を示している。
このような場合に、追記エリア１０に追記マーク列を記録し、その終端部に同期信号ＳＹ１のシンクＩＤを記録するとする。
またこのとき、同期信号ＳＹ１の直前に追記したコードワードにおいてネクストステートが「１」又は「２」であったとする。すると、図１７上段の同期信号ＳＹ１のシンクコードを選択することになる。ここで、ピット列はランド３で開始されている状態で既に形成されているため、シンクＩＤの部分がランド３でシンクボディに連続するようにすればよい。
即ち、もしシンクＩＤの書き始めにおいて「Ｈ」論理であったとしたら、図１８（ｂ）のように、同期信号ＳＹ１のプライマリシンクコード「０００００１００００」を選択する。これにより図のように穴空きマーク６及びランド３が形成され、直後のシンクボディに対して論理矛盾無くつながることになる。
一方、シンクＩＤの書き始めが「Ｌ」論理であったとしたら、図１８（ｃ）のように、同期信号ＳＹ１のセカンダリシンクコード「０００００１０００１」を選択する。これにより図のように穴空きマーク６及びランド３が形成され、この場合も直後のシンクボディに対して論理矛盾無くつながることになる。
【００９１】
また、追記エリア１０の直後のシンクボディは、ピットから始めると規定してもよいが、その場合の追記エリア１０の終端部分の様子を図１９に示す。
図１９（ａ）は、追記エリア１０が未記録の状態（つまり貼り合わせ済光ディスク１９７の段階）であり、追記エリア１０に続くピット列としては、シンクコードの１１ビット目以降がピット２から開始されて１４Ｔのランド３が形成されている様子を示している。
このような場合に、上記図１８と同じく追記エリア１０の終端部に同期信号ＳＹ１のシンクＩＤを記録するとする。また同期信号ＳＹ１の直前に追記したコードワードにおいてネクストステートは「１」又は「２」であり、図１７上段の同期信号ＳＹ１のシンクコードを選択することになったとする。
この場合、ピット列はピット２で開始されている状態で既に形成されているため、シンクＩＤの部分がピット２でシンクボディに連続するようにすればよい。
即ち、もしシンクＩＤの書き始めにおいて「Ｈ」論理であったとしたら、図１９（ｂ）のように、同期信号ＳＹ１のセカンダリシンクコード「０００００１０００１」を選択する。これにより図のように穴空きマーク６及びランド３が形成され、直後のシンクボディに対して論理矛盾無くつながることになる。
一方、シンクＩＤの書き始めが「Ｌ」論理であったとしたら、図１９（ｃ）のように、同期信号ＳＹ１のプライマリシンクコード「０００００１００００」を選択する。これにより図のように穴空きマーク６及びランド３が形成され、この場合も直後のシンクボディに対して論理矛盾無くつながることになる。
【００９２】
つまり、追記エリア１０においてシンクＩＤまでを追加記録するようにするとともに、その直後のピット列としてのシンクボディがランドで始まるかピットで始まるかのどちらかに規定しておけば、シンクボディをエンボスピットパターンで予め形成できるとともに、追記の際に、追記エリア１０の終端部分で適切にシンクＩＤを選択することで、追記エリア１０の終端部分と、それに続くピット列との整合を取ることができる。
【００９３】
［５．実施の形態の効果及び変形例］
以上説明してきた実施の形態によれば、ピット列形成後に追記エリアに追加情報を記録する場合に、効率的に、かつデータフォーマットに適合した状態で、追記マーク列を形成することを、追加情報内容にかかわらず例外なく実現できるという効果がある。また、フォーマット適合等のための複雑な演算処理も必要ない。
特に、追加的付加情報の配置位置をＥＣＣブロックのセクタ内でＥＤＣと同列になるように設定することで、ＰＯパリティとして追記する部分を最小化でき、追記の効率を向上できる。
また追記エリア１０の直前のピット列を、データシンボル「４７」又は「５４」のコードワードとしておくことで、ランド繋がりによって追記エリア１０を書き始めることが可能となり、追記エリア１０の先頭部分でピット２に連続した穴空きマーク６の形成や、１Ｔ、２Ｔの制御ということを解消できる。さらに追記エリア１０の先頭のコードワードのステートがステート１に統一されることで、直前のコードワードのネクストステートを把握していなくてもよい。もちろん直前のコードワードのネクストステートとの関係が崩れないことで、ピット列と追記マーク列のつなぎ目でのランレングスも適切なものとできる。これらのことから、穴空きマーク列の適切な記録を容易に実現できる。
また、追記エリア１０の終端部分は、シンクＩＤを記録し、エンボスピットパターンとしてのシンクボディに繋げること、及びシンクボディの先頭がランド３又はピット２のいずれかに規定されることで、追記エリア１０の終端部分のつなぎを適切に実行できる。
【００９４】
そしてこれらにより、実施の形態の技術は、貼り合わせ済光ディスク１９７に対して追加情報の記録を行って完成品の再生専用型光ディスク９０（ＤＶＤ）とする場合に、再生専用型光ディスク９０がＤＶＤ規格に違反せずエラーの発生もない状態で完成させることに好適な手法となる。
またＤＶＤ−ＲＯＭとしての再生専用型光ディスク媒体において個体毎の識別情報等の追加的付加情報の記録を行うことが容易化できることから、再生専用型光ディスクに対する情報追記技術の普及にも好適となる。
【００９５】
なお、実施の形態ではＤＶＤ方式の再生専用型光ディスク９０として、本発明を実現した例を述べたが、他のディスク方式の再生専用型光ディスク媒体及び製造方法としても、そのデータフォーマットに応じて本発明の考え方を適用できる。
さらに、再生専用型光ディスク媒体に限られず、色素膜が形成され、色素変化マーク列によりデータ記録が行われるライトワンス型光ディスクや、相変化膜が形成され相変化マークによりデータ記録が行われるリライタブル型光ディスクなどにおける、追加的付加情報を含む追加情報の記録方法としても好適である。
【図面の簡単な説明】
【００９６】
【図１】本発明の実施の形態のディスク製造工程の説明図である。
【図２】実施の形態の製造過程の貼り合わせ済光ディスクの段階の説明図である。
【図３】実施の形態の再生専用型光ディスクの部分拡大図と模式的断面図である。
【図４】実施の形態の再生専用型光ディスクの追記エリアを含む部分拡大図と模式的断面図である。
【図５】実施の形態の再生専用型光ディスクの追加情報記録前の追記エリアを含む部分拡大図と模式的断面図である。
【図６】実施の形態の再生専用型光ディスクの追加情報記録部分のＳＥＭ写真を用いた説明図である。
【図７】実施の形態の追加情報記録装置のブロック図である。
【図８】ＤＶＤのセクタ構造及びＥＣＣブロック構造の説明図である。
【図９】インターリーブ後のＥＣＣブロック構造の説明図である。
【図１０】実施の形態のＥＣＣブロック内における追加的付加情報の配置位置の説明図である。
【図１１】実施の形態のレコーディングセクタにおける追記エリアの説明図である。
【図１２】ピット列に続く追記エリアの先頭部分の非適切な状況の説明図である。
【図１３】実施の形態でデータシンボル「５４」を追記エリア直前に記録した場合の説明図である。
【図１４】ＥＦＭ＋変調のメイン変換テーブルの説明図である。
【図１５】ＥＦＭ＋変調のサブ変換テーブルの説明図である。
【図１６】ＤＶＤのシンクコードの説明図である。
【図１７】ＤＶＤのシンクコードの種別の説明図である。
【図１８】実施の形態の追記エリア終端部の記録の様子の説明図である。
【図１９】実施の形態の追記エリア終端部の記録の様子の説明図である。
【符号の説明】
【００９７】
２  ピット、３  ランド、４  反射膜、５  接着剤、６  穴空きマーク、１０  追記エリア、９０  再生専用型光ディスク、１５０  追加情報記録装置、１９７  貼り合わせ済光ディスク
【図１】
2008310847.tif 000003
【図２】
2008310847.tif 000004
【図３】
2008310847.tif 000005
【図４】
2008310847.tif 000006
【図５】
2008310847.tif 000007
【図７】
2008310847.tif 000008
【図８】
2008310847.tif 000009
【図９】
2008310847.tif 000010
【図１０】
2008310847.tif 000011
【図１１】
2008310847.tif 000012
【図１２】
2008310847.tif 000013
【図１３】
2008310847.tif 000014
【図１４】
2008310847.tif 000015
【図１５】
2008310847.tif 000016
【図１６】
2008310847.tif 000017
【図１７】
2008310847.tif 000018
【図１８】
2008310847.tif 000019
【図１９】
2008310847.tif 000020
【図６】
2008310847.tif 000021
【手続補正書】
【提出日】平成20年5月9日(2008.5.9)
【手続補正１】
【補正対象書類名】明細書
【補正対象項目名】００４３
【補正方法】変更
【補正の内容】
【００４３】
追加情報の記録を行う際には、追記制御演算部２１は、書込制御部２５に追記エリア１０へのアクセスを指示し、書込ピックアップ２２を追記エリア１０に移送させる。そして追加情報をエンコードしてエンコードデータを書込制御部２５に供給する。さらに、書込の際のレーザパワー等の記録条件も指示する。これにより、書込制御部２５は追加情報としてのエンコードデータに基づいて、追記エリア１０に穴空きマーク６を形成していくように書込ピックアップ２２を駆動することになる。
また、この追加情報の記録の際には、追記制御演算部２１は、読取制御部２６にも追記エリア１０へのアクセスを指示し、読取ピックアップ２３による再生を指示する。即ち書込ピックアップ２２で記録した穴空きマーク６の部分の再生を指示する。これにより、読取ピックアップ２３により追加情報の読取が行われ、読取制御部２６によってデコードされたデータが追記制御演算部２１に取り込まれる。追記制御演算部２１は、デコードデータについてエラーレートを検出するなどの評価を行い、追加情報が適切に記録されたか否かを判定する。
【手続補正２】
【補正対象書類名】明細書
【補正対象項目名】００６１
【補正方法】変更
【補正の内容】
【００６１】
図１１には、或るレコーディングセクタｒＳＣ０において、ＥＤＣと同列の各行４バイトを全て追加的付加情報の記録に用いると仮定した場合における追記エリア１０に相当する位置を示している。
この場合、図１１の斜線部に相当することになる光ディスク（貼り合わせ済光ディスク１９７）上の領域が、追記エリア１０とされることになる。
即ち第１行目から第１２行目までの各行のユーザデータのうちのＥＤＣと同列の４バイトと、第１２行目のＥＤＣの４バイトと、インターリーブで第１３行目となるＰＯパリティのうちのＥＤＣと同列の４バイトのＰＯパリティと、第１行目から第１３行目までの各行の各１０バイトのＰＩパリティの部分が、追記エリア１０に含まれ、これらが穴空きマーク６による追記マーク列で記録される。
なお、後述するが、ＰＩパリティの直後に続く同期信号ＳＹの一部（１０ビットのシンクＩＤ）の位置も追記エリア１０に含まれるようにされ、この１０ビットも穴空きマーク６による記録が行われる。
従って、１つの追記エリア１０は、４バイトのユーザデータ（又はＥＤＣ、又はＰＯパリティ）と、１０バイトのＰＩパリティと、１０ビットのシンクＩＤを記録する領域となり、ＥＦＭ＋変調により１シンボル（セクタ構造内の１バイト）は１６ビットとして記録されるため、光ディスク上としては２３４ビットの領域となる。